(57)【要約】【目的】  電気駆動玩具銃に新しい電気的機構と装置による改良を加え、同時に、小型拳銃の電動化を実現する。【構成】引き金に付随して単発発射作動を連発発射作動に切替えるための単連切替装置を新しく設定し、引き金を引いて、トリガスイッチを作動させて、モーターにより単発発射作動を行わせ、設定してある隔壁バネを越えて更に強く引き金を引いて、トリガスイッチとコントロールスイッチとで並列回路を構成させ、引き金を引き続ける間連発発射を行い、引き金を戻すと、同時にリレーも復帰し、モーター接点がプラス接点からマイナス接点に移ると同時にモーターのプラス電荷がアースされて放電し、モーターを即座に止めて、最終駆動歯車の余分な回転を防いで、単発、連発発射は終わり、人の指での発射が最速０、３５秒は掛かるという事から、単発発射作動の時間を０、２秒で終わるように、ピニオンと最終駆動歯車の回転比を設定し、歯車の回転数と力効率との関係から大きな駆動力を与え、弾丸エネルギー０、８ジュール近くまでの発生を可能にしている。【特許請求の範囲】
【請求項１】
モーターを電池で駆動して、駆動力を歯車に伝え、その伝導力でポンプ作用を装着された内筒及び外筒に、その間に嵌入されたスプリングを圧縮して変位を与えるようじ設定し、その最大変位点でスプリングを解放し、外筒の先端に設けられた空気噴出口からスプリングの圧縮力により空気を噴射して、プラスチック弾を発発射する電気駆動玩具銃において、プラス電源に対して、コントロールスイッチとトリガスイッチを並列に挿入して、コントロールスイッチは通常は閉じる状態を形成し、ここで引き金を引けば、単発発射作動の場合は、トリガスイッチが閉じて、プラス電源がパルス発生回路に付加され、プラスパルスがＳＣＲのゲートに与えられ、ＳＣＲはコントロールスイッチを通して与えられるプラス電源によりリレーを作動させて、モーターを回転させて、発射作動を開始し、スプリングが最大変位点に達したとき、最終駆動歯車と連動出来る適宜な位置に設けられたた作能体により、コントロールスイッチを開くように作能させることで、リレー、ＳＣＲの回路によって電流を供給しているモーター駆動回路を構成するリレーを復帰させ、リレーが復帰すると、モーター接点が、プラス電源接点からマイナス電源接点に切り替わり、モーター接点はアースされて、モーターのインダクタンスによるぷプラス電荷を放出して、モーターが即座に停止するようにして、モーターへの電流供給を止めて、モーターを停止させ、プラスチック弾を噴射した後発射作動を終わらせ、連発発射作動の場合は、単連発切替装置を通じて、コントロールスイッチとトリガスイッチがプラス電源に対して並列に接続されて、プラス電源が供給され、引き金を引くと、トリガスイッチが作動して、単発発射作動と同様、ＳＣＲによりリレーが駆動されて、モーターが回転して、発射作動を開始し、引き金を引いて、トリガスイッチを押している間、連発発射作動を続け、トリガスイッチを切ると、コントロールスイッチが開いていれば直ちに、閉じていればスプリングの最大変位点に達して、最終駆動歯車と同期する作能体によってコントロールスイッチが開くまで作動を続け、その結果プラス電源の供給は止まり、リレーが復帰して、モーターのインダクタンスによるプラス電荷を放出して、モーター歯瞬時に止まり、最後のプラスチック弾を発射して連発作動が終わるようにする。
更に、発射作動時間を、人間の機能として最大限早く引き金動作を行い得る時間といわれる０、３５秒以内に設定して、ポンプ作用を行わせる内筒、外筒を駆動する歯車機槽のモーターピニオンと最終駆動歯車との回転比を、発射作動速度０、３５秒以内の範囲で、発射速度の実用性を勘案しながら、最終駆動歯車の回転出力を出来るだけ大きく取れるように適宜な値を設定し、歯車回転比による力効率を能率良く増大させ、最終駆動歯車によって駆動させられるラックによって作能する内筒、外筒のスプリングによるポンプ作用を強大なものとして、プラスチック弾の発射速度を飛躍的に大きなものとした電気駆動玩具銃。
【請求項２】
電気駆動玩具銃に、単連切替装置を設定し、引き金は２段階で作動するように設造され、引き金を引けば、第１接点と第２接点が接触して、トリガスイッチを作能させ、単発発射作動を行わせ、更に強く引き金を引くと、引き金を引くときは動きを固めにして、引き金の発射作動の誤作動を防ぎ、戻すときは軽く動くように設造した隔壁バネを越えて、第１接点と第２接点とを接触させたまま、第３接点を押圧し、トリガスイッチとコントロールスイッチが、第１接点、第２接点及び第３接点が一緒になる事により、プラス電源に対して並列に入るようになり、トリガスイッチを圧し続ければ、コントロールスイッチの断続に拘わらず、連発発射作動は続けられ、トリガスイッチを離すと連発発射作動は終わるようにした第１項に記載した電気駆動玩具銃。
【発明の詳細な説明】
【発明の詳細な説明】
【産業上の利用分野】
【０００１】  本発明は、小型拳銃程度の大きさの電気駆動玩具銃の電子回路駆動に関するものである。
【背景技術】
【０００２】  電気駆動玩具銃は大型の形式のもののみが実用化され、小型拳銃程度のものは、強力なプラスチック弾の発射速度の実現が難しく、電子回路による電動銃の駆動が厄介な問題であり、電子工学的な知識も余り用いられず、小形拳銃の実用化など程遠い夢と諦められていたほどであり、その実現など思いも及ばぬことであって、誰もが実現に挑戦しながら、遂に達成できぬことであった。
【発明が解決しようとする課題】
【０００３】    今までは、０、５−０、８ジュールのプラスチック弾エネルギーを持つ発射を行うには、公害防止の為フロンガスを使用せず空気ポンプ方式を採用しようとすると、空気ポンプの為の圧縮スプリングを相当長い大きなものを使用せねばならず、電気駆動玩具銃を小型化するには圧縮スプリングも小型化してしかも大型の電気駆動玩具銃と同じ大きさの圧縮力を持たせなければならない。しかも小型化した銃は圧縮ストロークが短くなり、それで尚同じ力を出すには、圧縮のための歯車メカ機構にも、発射作動と電子回路との同期を確実にさせる為の工夫が必要となり、さらにそれを駆動するモーター駆動回路、及び電子回路にも新しい機構や装置を考え出すことが必要となり、電気駆動玩具銃の小型化には駆動回路の電子化がどうしても必要不可欠なものとなる。
【課題を解決するための手段】
【０００４】先づ、電気駆動による小形拳銃の実現は、いかに小さいスペースの中で、プラスチック弾発射エネルギーを０、５−０、８ジューの大きさで作り出すかであり、このエネルギーを生み出す圧縮力を持つ小型且強力なスプリングを駆動する為には、歯車の回転数逓減による力効率の向上を図ることが一つの手段であり、それには、人間の発射作動は一発を発射するのに、どんなに早く撃っても０、３５秒は掛かるという事実がある。つまりどんなに早く人間が撃っても、これより早い単発発射速度、例えば、０、２秒を電気駆動玩具銃に与えれば、電気駆動玩具銃の発射作動は余裕を持って支障なく行われる訳であり、それに対応する回転数は毎分３００回となり、最終駆動歯車は１発に１回転するので、毎分２２、０００回転するモーターピニオンの１／７０の回転数であり、最終駆動歯車にかかる回転力は約７０倍の力効率の向上が理論的に可能であると言うことになり、小型且強力なスプリングを圧縮して、０、８ジュールの速度をプラスチック弾に与える内筒、外筒によって構成されるポンプ作用の駆動も可能となるのであり、毎分３００回の速度毎秒５回であり、実際に視認しな場合でもかなり早く感じられ、実用に供しても発射遊戯の楽しさを損なうものは何もない。
次にモーター駆動回路の電子化の手段を説明すると、プラス電源に対して、コントロールスイッチとトリガスイッチを並列に分けて入力し、コントロールスイッチは歯車メカ機構の最終駆動歯車の最終歯と同期して作動出来る適宜な位置に設置した作能体により開閉が可能なように設定し、単連発切替装置を経て、更にリレー、ＳＣＲを通してマイナス電源に接がっており、トリガスイッチは、ＳＣＲのゲートに接がっているパルス発生回路を並列に接続させながら、単連発切替装置の第１接点を引き金自体に設造して、引き金を引く事により、第２接点と相接するようにして、パルス発生回路を励動してプラスパルスを送ってＳＣＲを作動させることにより、リレーが励動され、リレーのモーター接点とプラス電源接点が接がれ、モーターが回転を始め、同時に発射作動が始まり、スプリングの最大変位点で最終駆動歯車の最終歯がラックから脱れると同時に最終駆動歯車の最終歯と同期して作能する作用体がコントロールスイッチを切り、リレーが復帰して、モーター接点は、プラス電源接点から瞬時にマイナス電源接点に接がり、モーターのプラス接点が、アースされるので、モーターのインダクタンスによるぷプラス電荷が放出され、モーターは瞬時に止まり、プラスチック弾の発射も終わって単発発射は終了する。次の発射作動では、引き金を引くと、再び前述の手段が繰り返され、発射作動が引き金作動と共に行われるようになる。
次に、連発発射作動を行おうと思えば、引き金を引いて単連発切替装置の、引き金に直接設造された第１接点と、第２接点を接触させると共に、引き金を更に強く引いて、引くときは、作動に抵抗して固めになるように、戻すときは軽く戻るように設定した隔壁バネを越えて、第３接点と第１接点、第２接点の３つの接点が一緒になり、プラス電源に対して、トリガスイッチ回路とコントロールスイッチ回路が接がったまま並列に入るようにして、リレー、ＳＣＲに接げ、トリガスイッチを引き続ければプラス電源が供給されるようになり、最終歯でラックを解放するために半分欠歯になっている最終駆動歯車の回転が、連発発射作動の間コントロールスイッチに断続作動を与えるが、トリガスイッチがプラス電源を確保するので、関係無く連発発射作動は継続され、引き金を戻すと、軽く戻りながら３っつの接点は総て離れて連発発射作動は弾丸発射と共に終了する。
【作用】
【０００５】  本発明電気駆動玩具銃に関連する機構と電子回路の作用を説明すると、電池から電源スイッチを介して供給されるプラス電源を並列に分けて入力し、一方には歯車メカ機構の最終駆動歯車の最終歯と同期して作動出来る適宜な位置に設定した作用体により、開閉が可能なようなコントロールスイッチを接続し、更にリレー、ＳＣＲを通してマイナス電源に接がっていて、一方は単連切替装置に装着されたトリガスイッチを経て、ＳＣＲのゲートに接続されて励動するパルス発生回路を並列に接続させながら、モーターを駆動するリレーは、引き金を引く事により、単連切替装置のトリガスイッチが作動して、第１接点と第２接点が接触することにより、ＳＣＲが励動されて駆動され、モーター接点とプラス電源接点が接続され、モーターが回転を始め、単発発射作動が始まり、最終駆動歯車の最終歯と同期して作能する作用体がコントロールスイッチを切ると、リレーが復帰し、モーター接点が、プラス電源接点から、マイナス電源接点に移り、モーターのインダクタンスによるプラス電荷を放出し、そのためモーターは瞬間に止まり、歯車メカ機構の最終駆動歯車から最終歯が逸脱して、スプリングの復元力で、ラック、スライドボックスが一瞬に元に戻り、同時に内筒、外筒がその復元力でポンプ作用を行って、空気噴射により、プラスチック弾を発射して単発発射作動が終わり、連発発射作動の場合は、引き金を引いて、単連切替装置の第１接点と第２接点の接触で単発発射作動を始めるが、構はず更に強く引き金を引いて、引き金を引くときは、動きを固めにして、その前で止まるようにして、単連発発射作動の誤作動を防ぎ、戻すときは軽く楽に動くように設定した隔壁バネを越えて、引き金自体に設定した第１接点と第２接点を接触させたまま、第３接点と接触させ、プラス電源と接がるコントロールスイッチとトリガスイッチの並列回路を完成させ、引き金を引いて、発射作動を起こせば、トリガスイッチを押すかぎり、プラス電源は確保され、コントロールスイッチの、最終駆動歯車の回転による断続は影響なく、発射は継続され、トリガスイッチを離せば、コントロールスイッチが開いていれば、直ちに止まり、閉じていれば、スプリングの最大変位点で、最終駆動歯車と同期する作能体によって、切られるまで発射作動を続けて、プラス電源の供給が断たれ、リレーが復帰して、余剰プラス電荷を放出して、モーターを瞬時に停止させ、最後のプラスチック弾を発射して、連発発射作動を終終了する。
人間の発射作動は一発を発射するのに、どんなに早く撃っても０、３５秒は掛かるという定説に基づき、プラスチック弾発射エネルギーを０、５−０、８ジュールを生む圧縮力を持つ小型且強力なスプリングを駆動する為に、歯車の回転数逓減による力効率の向上を図っており、つまりどんなに早く人間が撃ってもこれより早い発射速度、例えば０、２秒を電動駆動玩具銃に与えれば、電動銃と指との発射作動が重なって相互の発射作動を干渉し合う事は無く、しかも、このとき、それに対応する最終駆動歯車の回転数は毎分３００回と計算が出来、最終駆動歯車は１発に１回転するので、毎分２２、０００回転するモーターピニオンと較べれば、約１／７０であり、７０倍の力効率の向上が理論的に可能であると言うことになり、小型且強力なスプリングを圧縮して、０、４−０、８ジュールのエネルギーをプラスチック弾に与える内筒、外筒によって構成されるポンプ作用の駆動も可能となるのである。これにより、毎分３００回の発射速度を維持させる事により、手動による発射作動をいかに早く繰り返しても余裕を持って対処出来るもので、毎分３００回は、毎秒５回であり、その速度は実際にはかなり早く、実用に供しても発射遊戯の楽しさを損なうものは何もない。
本来、連発発射は行はなくても単発発射作動のみで、電気駆動玩具銃として使用出来るもので、十分楽しむ事が出来るが、この連発発射作動機構を併設する事によって、新しい需要も充分期待出来る可能性があり、新しく単連発切替装置が発明に加えられたということは、大きな意義があり、この装置は単発と連発装置の切り換えが、容易に且素早く行われるようにしたもので、従来の発射弾数毎に固定して切り替える方式のものと較べると、その使い勝手のよさと便利さはは斬新且画期的なもので、遥かに優れた素晴らしいものである。
【実施例】
【０００６】図面に従って本発明電き駆動玩具銃の実施例について詳細に説明する。
図１は、本発明を使用して製作された小型拳銃の全体図の平面断面図を示し、
図２は、引き金と単連発切替装置の平面図を示すものであり、図３は、同じくその側面図を示し、図４は、その機搆を電気的に動かす電子回路図を示し、図５はリレーのリレー接点の作動を示すブロック回路図である。図面に示すように、引き金（１）を引くと、単連発切替装置（２）の、引き金（１）自体に設造された第１接点（３）を、引き金（１）の回転と、引き金（１）の頭部に１対として設けられ、銃本体に穿たれた対向する引き金軸を中心として回転するように、１対の引き金案内溝（５）を、引き金案内ピン（４）が摺動することにより、引き金自体に設けられた第１接点（３）を第２接点（６）に押圧、接触せしめて、第１接点（３）に接がる電源素子（７）から送られるプラス電源を、第２接点（６）に伝達して、パルス発生回路（８）が微分回路に構成されているので、プラスパルスを発生させて、ＳＣＲ（９）のゲートに送達し、ＳＣＲ（９）が作動して、リレー（１０）が励動され、リレー接点（１１）が閉じてモーター（１２）が回転を始める。
続いてモーター（１２）に連なる歯車メカ機構（１３）が作動を始め、ラック（１４）が最終駆動歯車（１６）によって駆動されて、ラック（１７）と連結するスライドボックス（２８）が摺動し、スライドボッジ（２９）が内筒ボッジ（３０）を押圧して、スプリング（１５）を圧縮し、最大変位点で、コントロールスイッチ（１４）が、最終駆動歯車（１６）と同期して作能する作用体、こでは、最終歯（１５）が最終駆動歯車（１６）から逸脱する瞬間にコントロールスイッチ（１４）を切るように設定したラック（１７）の最後尾（１８）により、開かれ、プラス６ｖ電源（１９）は切られ、ＳＣＲ（９）は作動を停止し、リレー（１３）は開かれる。このとき本発明電気駆動玩具銃では、プラス電源（２０）に接がっていたモーター（１２）のプラス端子（２１）は、リレー（１３）の復帰により、モーター接点（３５）は瞬間的にプラス電源接点（３３）からマイナス電源接点（３４）に接続を変え、モータープラス端子（２１）はアースされて、モーターのインダクタンスによって生じたプラス電荷を放出し、これによりモーター（１２）は即座に停止し、余分な回転による、次の回転への悪影響を回避し、しかも、モーターは常に一定の位置に停止させる事も可能となる。この作動の重要な要素となる電源は、プラス電源（２０）はモーター（１２）を駆動する電池（２０）によって構成され、プラス６ｖ電源（１９）は、電源素子（７）が電池（６）との結合により、発給されており、マイナス電源（２２）はそのマイナス端子から供給されている。かくしてコントロールスイッチ（１４）が切られて、モーター（１２）が停止すると同時に、最終駆動歯車（１６）から最終歯（１５）が逸脱して、ラック（１７）、それと連結するスライドボックス（２８）は一緒になって、スライドボッジ（２９）と内筒ボッジ（３０）が係合することにより、スプリング（３２）の反発力で元に戻り、同時に内筒（２９）は外筒（２６）とポンプ作用を行いながら復帰して、空気噴出口（２７）から空気を噴射して、０、８ジュールのプラスチック弾を発射する。これで単発発射作動は終わり、連発作動に、移るのであるが、本発明電動駆動玩具銃では、ここでも新しい試みがなされ、単発発射作動が、膨大な０、４ジュール以上のエネルギーでプラスチック弾を発射するために、従来の０、４ジュールのエネルギーを供給する１、２ｋｇ−ｃｍの強さを持つスプリングでは用をなさず、その強さは２、４ｋｇ−ｃｍを必要とし、（スプリングのエネルギーの一般的な計算式では、Ｅ＝１／２ｋｘ２で示され、ｋは単位ｃｍ圧縮したときの応力、ｘは圧縮全長。ここで圧縮全長は従来のものと変わらず、エネルギー量のみが２倍になっているので、単位ｃｍ圧縮長の応力を２倍にすれば良いことになる。勿論これは最も単純な条件での計算式であり、実際には色々な形の抵抗があり、（ある程度実験に頼らなければならない）スプリング（３２）を駆動する歯車メカ機構（３１）は当然従来のままでは役に立たず、今までは１−２段の歯車メカ機構を使っていたが、これは数段の歯車メカ機構（３１）に改められ、最終駆動歯車（１６）の回転数を、ピニオン（２５）の回転数の１／７０に落とすことによって、歯車の効用である最終駆動歯車（１６）の力効率を７０倍に高め、０、４ジュール以上のエネルギーを供給出来る２、４ｋｇ−ｃｍのスプリング（３２）を圧縮して、プラスチック弾を発射している。この歯車の回転数を落とす方法の採用の根拠になったのは、人間の指で銃を単発で発射する速度は、０、３５秒以上と言われ、今実施例ではピニオン（２５）の回転数は毎分２２０００回のものを使用しており、これを１／７０まで回転数を落として使えば、最終駆動歯車（１６）の回転数は毎分約３００回  と言うことになり、これは毎秒５回の回転数となり、０、２秒に１回の回転となるが、この値は人間の指による発射速度より明らかに早く、人間が幾ら早く単発発射作動を続けても、０、２秒の電動駆動の単発発射作動は余裕を持って最初から終了まで発射作動を繰り返す事が可能であり、毎分３００回に発射弾数を落としても何ら支障無く、指による発射作動を幾らでも早く、何回でも続けることが出来るものであり、単発連発発射の切り替えを、スイッチのセッテイングなど余分な手間は要らず、指１本で容易にした単連切替装置（２）の設定と共に本発明電気駆動玩具銃の効用を益々高いものにしている。
いま単発発射作動を終わって、連発発射作動を行うときは、引き金を引いて、単連切替装置（２）を構成するトリガスイッチ（２４）の、引き金自体に設造された第１接点（３）と第２接点（６）を接触させな後、更に強く引くことによって、トリガスイッチ（２４）の単発発射作動の過誤を防ぐために、引くときは作動を固めに押さえ、戻すときには軽く楽になるように設造した隔壁バネ（２３）を越えて、引き金（１）直接設けた第１接点（３）と接触した第２接点（６）と第３接点（１０）を３接点一緒に接触させ、トリガスイッチ（２４）回路とコントロールスイッチ（１４）回路を単連切替装置（２）で接続させ、プラス６電源（１９）に対して、この２つのスイッチが並列回路を作るようにし、リレー（１３）を介して、ＳＣＲ（９）に接げ、かくして引き金（１）を引いて、トリガスイッチ（２４）を閉じている間は、コントロールスイッチ（１４）が切れても、プラス６電源（１９）がＳＣＲ（９）に供給され、最終駆動歯車（１６）によるコントロールスイッチ（１４）の断続の間もリレー（１３）が作動して弾丸発射は続けられ、引き金（１）を元に戻すと、第２接点（６）から第３接点（１０）に接する時は強く抵抗して、連発発射切り替えの過作動を防ぎ、第３接点（１０）から戻るときは大きな抵抗無く楽に接点が移動するように設造した隔壁バネ（２３）を越えて、引き金（１）は復帰し、総ての接点は離れた状態となり、プラス６電源（１９）は完全に切られて、電気的連発発射作動は終わり、電気的連発発射作動が続けられている限り、スプリング（３２）の最大変位点での、最終歯（１５）の最終駆動歯車（１６）からの逸脱による、スプリング（３２）の復元により生ずる反発力で、ラック（１７）、スライドボックス（２８）が元に戻り、内筒（２９）外筒（２６）がポンプ作用を行い、プラスチック弾を発射する作業は、繰り返して行われ、前述の引き金（１）の復帰による単連切替装置（２）の全接点の開放によって停止する
かくして本発明電気駆動玩具銃は、単発発射作動も連発発射作動も齟齬なく完全に行われ、発射遊戯を、特に今まで提供されなかった小型拳銃についても楽しむことが出来るものであり、色々な新しい機構や装置が付加されて、一段と素晴らしいものになっている。
【発明の効果】
【０００９】本発明電気駆動玩具銃は、縷々述べ来った用に、従来大型電動銃のみに適用されていた電動化による発射遊戯の楽しさを小型拳銃にまで広げ、その需要範囲も大形電動銃に比べて遥かに広く、多くの人々に楽しみを与えるばかりでなく、今まで小型拳銃はフロンガスを駆動源として使っていたので、それを電動化することによって、空気の環境悪化を防ぐことに貢献出来ることになり、その社会的な意義も大きく本発明電気駆動玩具銃の効果は顕著なものがあり、電池によるプラス電源と電源素子の結合で、モーター電源とプラス６Ｖ源を供給させ、プラス電源では、モーターを駆動して発射作動の機械的原動力を作り、プラス６Ｖ電源は６Ｖの電源として、リレー、ＳＣＲなど電子回路の電源となり、両々相俟ってその役割を果たし、コントロールスイッチとトリガスイッチと並列に入った回路を操作して、発射作動を司る電子回路を構成しており、その中でリレー回路は、プラス６Ｖ電源により作動すると、発射作動開始のときは、モーター接点がプラス６Ｖ電源接点に接続され、モーターが回転し、終わるとリレーが復帰し、モーター接点がマイナス電源接点に移り、その途端モータープラス接点はマイナス電源に接がれて、モーターのインダクタンスによるプラス電荷がアースされ、モーターは一瞬にして止まり、そのためにモーターに駆動されている歯車メカ機構の最終駆動歯車の停止位置は、単発連発発射に拘わらず常に確定して止まり、余分な回転で、戻って来るラックと噛合したり、その他の作動パーツと干渉して、発射作動に妨害となるようなこともなくなり、しかも最終駆動歯車が最終歯がラックから脱れた直後に止まるので、その位置は常に回転開始の最前端にあり、次の回転開始にあたって、ラックにつかまるまで最も余裕のある位置であり、回転と共に最終駆動歯車の最先端から十分な弾みを付けてラックと噛合出来るので、確実にラックと噛合出来て、運動慣性でラックの作動に弾みを付ける効果があり、従って弾丸の発射速度にも好影響を齎し、モーター接点の停止直後のアース作動は思ったより遥かに広い範囲に良い効果を与えているのである。
更に、単連切替装置は、コントロールスイッチ回路をトリガスイッチ回路から切ったり、並列に接いだりする事によって、単発連発の発射作動が出来るようにしたもので、引き金の指操作のみで簡単に単発連発の切り替え操作が可能となり、従来のものが、発射弾数毎にいちいち動かしてセッテイングをしなければならなかったものが、簡単に素早く切り替える事が可能となり、その至便さはとても比べものにならず、その効果の大きさがこの単連切替装置の優れた点となっており、このようにして、総合的な電子回路作動と機械機構は、安定した強力な電気駆動玩具銃の単連発射作動を確実に且支障無く行わせる事こそ本発明電動駆動玩具銃の大きな効果となっている。
更に、小型拳銃が、０、４ジュール以上のエネルギー発生を可能にした経緯について一言付記すれば、人の指による発射作動がどんなに早くても０、３５秒かかるという事実に基づいて、人が幾ら早く続けて撃っても追い付けず、電動駆動玩具銃の発射作動機能に影響を与えないものとして、０、２秒の単発発射作動の時間を割り出し、歯車の回転数と力効率との関係から、モーターピニオンの回転数の１／７０と言う最終駆動歯車の回転数を持たせ、モーターピニオンのトルクの７０倍にもなる最終駆動力を発生させて０、４ジュール以上のエネルギー捻出を可能にしており、これにより所定のエネルギーを持ったプラスチック弾発射を完全に実現させ、更に、実験値と計算値との間には余裕が有るものと見て、なお最終駆動歯車の回転数、毎分の発射弾数及び発射速度との関係には再考すべき新しいものが、色々有るものと考えられ、将来の更に優れた電動駆動玩具銃の開発に接げるものを持っているのである。
かくして本発明電気駆動玩具銃は、社会的に空気環境公害を排除し、数多くの新しい簡便且優れた新奇性に富んだ諸機構を備えた優れた特性を持ち、社会的にも有益で、玩具銃愛好者に発射遊戯の興味を倍加し、遊戯の与える楽しさも計り知れ無いものがあり、誠にそれは発明として大きな価値を持ち、その卓抜さは類を見ない程である。
【図面の簡単な説明】
【図１】電動駆動玩具銃の全体の構造を開示した平面図である。
【図２】同じくその引き金と単連切替装置との構造を示す平面図である。
【図３】同じくその側面図である。
【図４】同じくその単連発発射作動を駆動する電子回路図である。
【図５】同じくそのリレーのリレー接点回路を示したブロック回路図である。
【符号の説明】
１−−−引き金                １９−−−プラス６電源
２−−−単連切替装置          ２０−−−プラス電源
３−−−第１接点              ２１−−−モータープラス接点
４−−−引き金案内ピン        ２２−−−マイナス電源
５−−−引き金案内溝          ２３−−−隔壁バネ
６−−−第２接点              ２４−−−トリガスイッチ
７−−−電源素子              ２５−−−ピニオン
８−−−パルス発生回路        ２６−−−外筒
９−−−ＳＣＲ                ２７−−−空気噴出口
１０−−−第３接点              ２８−−−スライドボックス
１１−−−リレー接点            ２９−−−内筒
１２−−−モーター              ３０−−−スライドボッジ
１３−−−リレー                ３１−−−歯車メカ機構
１４−−−コントロールスイッチ  ３２−−−スプリング
１５−−−最終歯                ３３−−−プラス電源接点
１６−−−最終駆動歯車          ３４−−−マイナス電源接点
１７−−−ラック                ３５−−−モーター接点
１８−−−最後尾
【図１】
2005180897.tif 000002
【図２】
2005180897.tif 000003
【図３】
2005180897.tif 000004
【図４】
2005180897.tif 000005
【図５】
2005180897.tif 000006